(57)【特許請求の範囲】
【請求項１】
筐体内部に配設される水平な水平冷却水路と、該水平冷却水路の端部に位置するよう前記筐体の側面に形成される凸部と、前記凸部に垂直上向きに挿入される直管状のニップルと、前記凸部内において前記水平冷却水路と前記ニップルとの間を接続する屈曲した屈曲冷却水路とを設けた冷却配管構造において、前記水平冷却水路は、前記筐体の下部に設けられ、また、前記凸部は前記筐体の底面よりも高い位置に位置し、更に、前記ニップルの最下端は、前記筐体の底面よりも上方に位置することを特徴とする冷却配管構造。
【請求項２】
請求項１において、前記屈曲冷却水路は、前記水平冷却水路と接続する水平冷却水路部と前記ニップルと接続する垂直冷却水路部とを屈曲して接続してなり、前記水平冷却水路部は、前記凸部において水平方向に貫通する貫通孔を形成した後に該貫通孔を前記凸部側面で蓋にて閉塞することにより形成されることを特徴とする冷却配管構造。
【請求項３】
請求項１又は２において、前記ニップルは、前記凸部に挿入される外径が小径なニップル小径部分と前記凸部から下向きに突き出す外径が大径なニップル大径部分とからなり、前記ニップル小径部分と前記ニップル大径部分との間に形成される段差が前記凸部下面に突き当てられることを特徴とする冷却配管構造。
【請求項４】
請求項３において、前記ニップルの前記ニップル大径部分に冷却水流出入用ホースが差し込まれ、該冷却水流出入用ホースの上端が前記凸部下面に突き当てられることを特徴とする冷却配管構造。
【発明の詳細な説明】
【技術分野】
【０００１】
本発明は、冷却配管構造に関する。
【背景技術】
【０００２】
電気自動車用インバータ装置には、構成部品の温度上昇を抑えるため、筐体内に冷却水路を配設しているものがある。
【０００３】
例えば、特許文献１には、「一方、アルミニウム製の凹形の冷却水路形成部材２は、接合面にガスケット１１を介在させて前記ヒートシンク１と水密状態に重合し、このヒートシンク１の裏側に、通水口１０ａ，１０ｂに連通する冷却水路２ａを構成する。この冷却水路２ａは、前記ヒートシンク１の表側の半導体素子３，電気接続部材８ａおよびコンデンサ９の設置領域の裏側に位置するように形成し、この半導体素子３，電気接続部材８ａおよびコンデンサ９の冷却効果を十分に高めることができるようにする。」と記載されている（段落［００１５］）。
【０００４】
従って、冷却水路形成部材２の下面に突出した通水口１０ａから冷却水が上向きに流入し、冷却水路形成部材２の冷却水路２ａを水平方向に流れ、更に、冷却水路形成部材２の下面に突出した通水口１０ｂから下向きに流出することになる。
【特許文献１】特開平１１−３４６４８０号
【発明の開示】
【発明が解決しようとする課題】
【０００５】
特許文献１に記載される電気自動車用インバータ装置は、冷却水路形成部材２の下面に通水口１０ａ，１０ｂが下向きに突出するため、この電気自動車用インバータ装置を電気自動車に搭載する前に、通水口１０ａ，１０ｂが床面に接するように荷積みすると、通水口１０ａ，１０ｂが破損する虞がある。
そのため、通水口１０ａ，１０ｂが床面に接しないよう、通水口１０ａ，１０ｂが横向なる様に横積みする必要があり、不安定な荷積みとなり、取り扱いが不便であった。
【０００６】
そこで、図６に示すように、Ｌ字のニップル０４を使用することが考えられる。
Ｌ字のニップル０４は、冷却配管などの出し方向を変えるために使用される湾曲した管体である。
そのため、図６に示すように、筐体０３の上面にＬ字型のニップル０４を取り付け、筐体０３中に形成された冷却水路（図示省略）とＬ字のニップル０４を接続すると、例えば、筐体０３の冷却水路を上向きに流れる冷却水を図中横方向に流れを変えることができる。
【０００７】
しかし、Ｌ字型のニップル０４は、筐体０３への圧入量の管理がストレート型のものに比べて難しく、また、Ｌ字型のニップル０４にホースを差し込む場合に差込み量を管理するためにニップル形状を工夫（例えば、段部を設ける等）する必要がある。
本発明は、上記従来技術に鑑みてなされたものであり、筐体形状を工夫して、筐体全体を大きくせず、上記問題点を解消させる構造を提供することを目的とする。
【課題を解決するための手段】
【０００８】
上記課題を解決する本発明の請求項１に係る冷却配管構造は、筐体内部に配設される水平な水平冷却水路と、該水平冷却水路の端部に位置するよう前記筐体の側面に形成される凸部と、前記凸部に垂直上向きに挿入される直管状のニップルと、前記凸部内において前記水平冷却水路と前記ニップルとの間を接続する屈曲した屈曲冷却水路とを設けた冷却配管構造において、前記水平冷却水路は、前記筐体の下部に設けられ、また、前記凸部は前記筐体の底面よりも高い位置に位置し、更に、前記ニップルの最下端は、前記筐体の底面よりも上方に位置することを特徴とする。
【００１０】
上記課題を解決する本発明の請求項２に係る冷却配管構造は、請求項１において、前記屈曲冷却水路は、前記水平冷却水路と接続する水平冷却水路部と前記ニップルと接続する垂直冷却水路部とを屈曲して接続してなり、前記水平冷却水路部は、前記凸部において水平方向に貫通する貫通孔を形成した後に該貫通孔を前記凸部側面で蓋にて閉塞ことにより形成されることを特徴とする。
【００１１】
上記課題を解決する本発明の請求項３に係る冷却配管構造は、請求項１又は２において、前記ニップルは、前記凸部に挿入される外径が小径なニップル小径部分と前記凸部から下向きに突き出す外径が大径なニップル大径部分とからなり、前記ニップル小径部分と前記ニップル大径部分との間に形成される段差が前記凸部下面に突き当てられることを特徴とする。
【００１２】
上記課題を解決する本発明の請求項４に係る冷却配管構造は、請求項３において、前記ニップルの前記ニップル大径部分に冷却水流出入用ホースが差し込まれ、該冷却水流出入用ホースの上端が前記凸部下面に突き当てられることを特徴とする。
【発明の効果】
【００１３】
本発明は、筐体の側面に凸部を設け、この凸部内に冷却水路を形成して、直管状のニップルを凸部に挿入したので、冷却出し口の方向を変えることができ、また、凸部の突出量は直管状のニップルの管径および直管状のニップル保持の必要な肉厚分でよいためＬ字型のニップルを用いる場合よりも筐体からの飛び出し量を少なくでき小型化となる。
また、直管状のニップルの最下端を筺体の底面よりも上方に位置させることで、荷積みなどの取り扱いが容易となる。
【００１４】
更に、凸部内に貫通孔を形成した後に、この貫通孔を蓋にて塞ぐことにより冷却水路を形成すると、容易に製造することができる。
また、水平冷却水路部と垂直冷却水路部とが直接接続されるため、冷却水路の曲がり部にＲを形成しない小型化な冷却配管構造を提供することができる。
特に、ニップルに段差を設けてその段差を凸部下面に突き当てると、圧入量の管理が容易であり、品質安定化するという利点がある。
更に、ニップルに差し込まれる冷却水流出入用ホースを凸部下面に突き当てると、ホース差込管理も可能となる。
【発明を実施するための最良の形態】
【００１５】
以下に実施例１として説明する態様が本発明を実施するための最良の形態である。
【実施例１】
【００１６】
本発明の第１の実施例を図１〜図５に示す。図１は本実施例の冷却配管構造の正面図、図２は直管状ニップルの断面図、図３は筐体側面に形成される凸部の断面図、図４及び図５は何れも電気自動車用インバータ装置の斜視図である。
本実施例は、図４及び図５に示すように、電気自動車用インバータ装置に適用したものである。
【００１７】
即ち、電気自動車用インバータ装置においては、半導体スイッチング素子を搭載したインバータ回路（図示省略）が筐体３内に収容されると共にこのインバータ回路に対して入出力用ケーブル１が接続される。
筐体３の下部には、インバータ回路の温度上昇を抑えるための略水平な冷却水路２（図１参照）が形成され、この冷却水路２の端部に位置するよう、筐体３の側面には立方体状の凸部（出っ張り）５が形成されている。凸部５は、冷却水路２の配置に合わせて、筺体３の底面よりも高い位置に位置している。
【００１８】
凸部５には、図１に示すように、直管状（ストレート）のニップル４が垂直上向きに挿入されている。直管状のニップル４は、Ｌ字型のニップル０４に比較して圧入の管理が容易であるという利点がある。
ニップル４の最下端は、筺体３の底面よりも上方に位置している。そのため、電気自動車用インバータ装置を車両に搭載する前に、底面を床につけるように平積みしても、ニップル４が床面に接することがなく、安定した荷積みが可能となるなど取り扱い上の利点がある。
【００１９】
凸部５内には、筺体３内の冷却水路２とニップル４とを接続する屈曲した冷却水路６が形成されている。
冷却水路６は、冷却水路２と接続する水平な水路部６ａと、ニップル４と接続する垂直な水路部６ｂとからなる。
冷却水路６のうち水平な水路部６ａは、筺体３と共に凸部５を金型で一体成型する際に、凸部５を水平に貫通する管通孔を形成した後、この貫通孔を凸部側面で蓋７にて閉塞することにより形成すると製造が容易である。
【００２０】
ニップル４は、図２に示すように、下部のニップル大径部分４ａと、上部のニップル小径部分４ｂとからなる。
ニップル小径部分４ｂはニップル大径部分４ａよりも外径が大きく、ニップル大径部分４ａとニップル小径部分４ｂとの間には段差が形成され、この段差が凸部５の下面に突き当てて位置決めされる。
【００２１】
つまり、図３に示すように、凸部５の冷却水路６のうち垂直な水路部６ｂの内径とニップル小径部分４ｂの外径とがほぼ同じ大きさに設計されており、ニップル小径部分４ｂを凸部５に挿入すれば、ニップル大径部分４ｂが凸部５から下向きに突き出すことになる。
このようにニップル４をニップル大径部分４ａとニップル小径部分４ｂとから構成して段差を設けると、ニップル４の圧入管理が容易となる。
【００２２】
更に、ニップル４が直管状であるため、図中では省略しているが、ニップル大径部分４ｂに冷却水流出入用ホースを差し込む際に、このホースの上端を凸部５の下面に突き当てることにより、ホース差込管理も容易となる利点がある。
上述した通り、本実施例では、筐体３の側面に凸部５を設け、この凸部５内に加工により冷却水路６を形成し、ストレートのニップル４を凸部５に挿入したので、Ｌ字型のニップル０４を使用することなく、冷却出し口の方向を変えることができる。
【００２３】
また、ストレートのニップル４を使用するため、Ｌ字型のニップル０４を用いる場合よりも筺体３からの飛び出し量を少なくできる利点もある。
特に、Ｌ字型のニップル０４ではなく、最も形状が簡単なストレートタイプのニップル４を使うので、圧入の管理が容易であり、品質安定化するという利点がある。
更に、ストレートタイプのニップル４を使うので、筐体突き当てでホース差込管理も可能となる。
【産業上の利用可能性】
【００２４】
本発明は、ストレートのニップルを使用するため、Ｌ字型のニップルを用いる場合よりも筺体からの飛び出し量を少なくできる冷却配管構造として広く利用可能なものである。
【図面の簡単な説明】
【００２５】
【図１】本発明の第１の実施例に係る冷却配管構造の正面図である。
【図２】本発明の第１の実施例に使用される直管状ニップルの断面図である。
【図３】本発明の第１の実施例に係る筐体側面に形成される凸部の断面図である。
【図４】電気自動車用インバータ装置の斜視図である。
【図５】電気自動車用インバータ装置の斜視図である。
【図６】Ｌ字型のニップルを使用した冷却配管構造の正面図である。
【符号の説明】
【００２６】
１  入出力用ケーブル
２，６  冷却水路
３  筺体
４  直管状（ストレート）のニップル
５  凸部
６ａ  水平な水路部
６ｂ  垂直な水路部
【図１】
0004807346.tif 000002
【図２】
0004807346.tif 000003
【図３】
0004807346.tif 000004
【図４】
0004807346.tif 000005
【図５】
0004807346.tif 000006
【図６】
0004807346.tif 000007